(57)【特許請求の範囲】
【請求項１】
貫通孔を有した機器外装体と；
挿入筒部及び保持筒部を有し、前記挿入筒部を前記貫通孔に挿入するとともに前記保持筒部を前記機器外装体の外部に配置して前記機器外装体に固定されたパイプと；
このパイプを貫通する軸部、この軸部の前記パイプから抜け止めをする抜け止め部材、及び前記機器外装体の外部に配置される操作ヘッドを有した押しボタンと；
この押しボタンと前記パイプとの間に挟まれて前記押しボタンを前記機器外装体の外方に付勢する付勢部材と；
前記操作ヘッドが接離する規制凸部が形成された内周壁、及び前記保持筒部の外周に被嵌する外周壁を有し、前記内周壁の外周に形成された雄ねじ部を前記保持筒部の内周に形成された雌ねじ部に螺合して前記保持筒部の軸方向に移動可能に取付けられたロック部材と；
前記外周壁と前記保持筒部との間に挟まれて前記ロック部材に回転抵抗を与える回り止め部材と；
を具備した携帯機器。
【請求項２】
リング状の防水パッキンを前記ロック部材の内周壁と前記操作ヘッドとの間に挟設した請求項１に記載の携帯機器。
【請求項３】
前記回り止め部材がリング状をなしていて、前記防水パッキンが前記操作ヘッドに与える摩擦力を、前記回り止め部材が前記ロック部材に与える摩擦力より小さくした請求項２に記載の携帯機器。
【請求項４】
請求項１から３の内のいずれか一項の携帯機器で形成された携帯時計。
【発明の詳細な説明】
【技術分野】
【０００１】
本発明は、押しボタンを備えた携帯機器及び携帯時計に関する。
【背景技術】
【０００２】
腕時計や懐中時計などの携帯時計、ストップウオッチ、携帯電話、携帯型情報端末機などの携帯機器の中には、例えば機器外装体内の接点等を動作させる押しボタンを機器外装体に取付けたものがある。押しボタンが押圧されることによって、例えばクォーツ式携帯時計では、時計表示をアナログ表示からデジタル表示に切換えたり、デジタル表示された日付や曜日を修正したりできるようになっている。
【０００３】
従来、この種の携帯機器では、押しボタンの誤操作を防止するために、ロック部材の内周に形成した雌ねじ部を、機器外装体に取付けられたパイプの外周に形成した雄ねじ部に螺合させて、これらねじ部の螺合位置の変化によりロック部材をロック位置とロック待機位置とにわたって移動可能に設けている。ロック部材がロック待機位置に配置された状態では、パイプを貫通した押しボタンの頭部からロック部材の規制部が離れるため、その離れた距離に相当するストロークで押しボタンの押し込み操作が許容される。この逆に、ロック部材がロック位置に配置された状態では、規制部が押しボタンの頭部に接した状態となるため、押しボタンの押し込みが防止される。
【特許文献１】特開2003−7164号公報（段落0002−0006、段落0026−0038、図１−図３）
【発明の開示】
【発明が解決しようとする課題】
【０００４】
特許文献１の技術ではロック部材をロック位置に保持する工夫がない。このため、押しボタンを付勢するコイルばねの付勢力がロック部材に作用する場合であっても、携帯中に加わる振動や衝撃などにより、パイプに対するロック部材の螺合位置が変化する恐れがある。したがって、携帯中に、ロック部材がロック位置からロック待機位置方向にずれ動いて、押しボタンの誤動作を防止する機能が損なわれることが考えられるから、こうしたことがないようにすることが望まれている。
【０００５】
本発明の目的は、押しボタンの誤動作を防止する機能が携帯中に損なわれることを抑制できる携帯機器及び携帯時計を提供することにある。
【課題を解決するための手段】
【０００６】
前記課題を解決するために、本発明の携帯機器は、貫通孔を有した機器外装体と；挿入筒部及び保持筒部を有し、前記挿入筒部を前記貫通孔に挿入するとともに前記保持筒部を前記機器外装体の外部に配置して前記機器外装体に固定されたパイプと；このパイプを貫通する軸部、この軸部の前記パイプから抜け止めをする抜け止め部材、及び前記機器外装体の外部に配置される操作ヘッドを有した押しボタンと；この押しボタンと前記パイプとの間に挟まれて前記押しボタンを前記機器外装体の外方に付勢する付勢部材と；前記操作ヘッドが接離する規制凸部が形成された内周壁、及び前記保持筒部の外周に被嵌する外周壁を有し、前記内周壁の外周に形成された雄ねじ部を前記保持筒部の内周に形成された雌ねじ部に螺合して前記保持筒部の軸方向に移動可能に取付けられたロック部材と；前記外周壁と前記保持筒部との間に挟まれて前記ロック部材に回転抵抗を与える回り止め部材と；を具備している。
【０００７】
この発明で、ロック部材と保持筒部との螺合は、保持筒部に雌ねじ部を形成するとともにロック部材の内周壁に雄ねじ部を形成して、これらねじ部を螺合させることによって実現でき、或いは、保持筒部に雄ねじ部を形成するとともにロック部材の外周壁に雌ねじ部を形成して、これらねじ部を螺合させることによって実現できる。
【０００８】
この発明で、回り止め部材は摩擦材好適にはゴム系又はプラスチックス系等の可撓性摩擦材で形成できる。更に、回り止め部材は、ロック部材の外周壁の内周又はパイプの保持筒部の外周の少なくとも一方に設けることができ、或いはロック部材の内周壁の外周又は保持筒部の内周の少なくとも一方に設けることができる。これとともに、回り止め部材は、前記外周又は内周に対して周方向に一回り連続してリング状に設けることが組立てなどの点で好ましいが、周方向に沿って間隔的に複数設けることも可能である。しかも、リング状の回り止め部材とする場合には防水パッキンを兼ねるとよい。
【０００９】
本発明では、パイプの保持筒部とこの筒部に螺合されたロック部材との間に挟まれた回り止め部材で、ロック部材に回転抵抗を与えたので、ロック部材が押しボタンの押し込みを妨げるロック位置に配置された状態で、このロック部材が振動や衝撃により不用意に回転することを抑制できる。それにより、ロック位置等に配置されたロック部材が携帯中に不用意に動かないように保持され、携帯中に押しボタンの誤動作を防止する機能が損なわれることを抑制できる。
【００１０】
本発明の携帯機器の好ましい形態では、リング状の防水パッキンを前記ロック部材の内周壁と前記操作ヘッドとの間に挟設している。この発明で、防水パッキンはロック部材の内周壁の内周又は操作ヘッドの外周の少なくとも一方に設けることができる。
【００１１】
この発明の形態では、防水パッキンの摩擦力がロック部材の回転抵抗として付加されるので、ロック位置等に配置されたロック部材の不用意な回転をより確実に抑制できる。更に、既述の防水パッキンの配置により、パイプの挿入筒部に収まる押しボタンの軸部に防水パッキンを取付けるための環状の溝を形成する必要がなくなり、それに伴い軸部の強度低下がなくなるので、携帯機器の落下時の衝撃などで軸部が曲がって防水機能が低下しないようにできる点で好ましい。
【００１２】
又、本発明の携帯機器の好ましい形態では、前記回り止め部材がリング状をなしていて、前記防水パッキンが前記操作ヘッドに与える摩擦力を、前記回り止め部材が前記ロック部材に与える摩擦力より小さくしている。
【００１３】
この発明の形態では、押しボタンの移動操作が重くなることが抑制されて、押しボタンを円滑に移動できる点で好ましい。
【００１４】
又、前記課題を解決するために、本発明の携帯時計は、前記各発明の内のいずれかの発明の携帯機器で形成されている。
【００１５】
この発明の携帯時計は、前記各発明の内のいずれかの発明の携帯機器で形成されているので、携帯中に押しボタンの誤動作を防止する機能が損なわれることを抑制できる携帯時計を提供できる。
【発明の効果】
【００１６】
本発明によれば、押しボタンの誤動作を防止する機能が携帯中に損なわれることを抑制できる携帯機器及び携帯時計を提供できる。
【発明を実施するための最良の形態】
【００１７】
本発明の第１実施形態を図１〜図４を参照して説明する。
【００１８】
図１中符号１１は携帯機器例えば携帯時計具体的には腕時計を示している。腕時計１１は、機器外装体をなす時計外装体１２内に、内蔵部材、例えば時計ムーブメント１３、文字板１４、及び時針・分針・秒針などの時刻表示針１５などが収められている。時刻表示針１５を駆動する時計ムーブメント１３は板ばね等からなる接点１６を有している。この接点１６が後述の押しボタンで押されることによって、時計ムーブメント１３の機能の切換えがなされるようになっている。
【００１９】
図１に示すように時計外装体１２は、ステンレス鋼やチタンなどの金属により環状に作られた胴２１の厚み方向の一面に、文字板１４を透視させるカバーガラス２２を液密に装着するとともに、胴２１の厚み方向の他面に、金属や合成樹脂などから作られた裏蓋２３を液密に装着して形成されている。
【００２０】
胴２１には、竜頭（図示しない）が取付けられているとともに、この竜頭からずれた位置に貫通孔２５が設けられている。貫通孔２５の一端は、胴内、つまり、時計外装体１２の内部に開口されている。貫通孔２５はその他端にろう付け溝２５ａを有していて、ろう付け溝２５ａは胴外面（外装体外面）２１ａに開口されている。
【００２１】
胴２１には軸方向と直交する方向の断面が丸のパイプ２６が固定されている。パイプ２６は金属好適にはステンレス鋼等で作られている。このパイプ２６は、挿入筒部２６ａと保持筒部２６ｂとを有している。挿入筒部２６ａは保持筒部２６ｂより径が小さい小径部からなり、この逆に保持筒部２６ｂは挿入筒部２６ａより径が大きい大径部からなる。そのため、パイプ２６は挿入筒部２６ａと保持筒部２６ｂとを一体に連続させる段差部２６ｃを有した段付きに形成されている。
【００２２】
パイプ２６は、その挿入筒部２６ａを貫通孔２５に挿入するとともに、保持筒部２６ｂを胴２１の外部に配置して時計外装体１２に固定されている。この固定は、ろう付け溝２５ａに充填された金属製ろう材２７によるろう付け接合によりなされている。ろう材２７は、パイプ２６と胴２１との間の防水を担っている。以上のように胴２１に固定されたパイプ２６の段差部２６ｃはろう付け溝２５ａを閉じて胴外面２１ａに当接されている。
【００２３】
保持筒部２６ｂの内周には雌ねじ部２８が形成されている。保持筒部２６ｂにはその外周に開放する環状の溝が形成されていて、この溝にリング状の回り止め部材２９が取付けられている。回り止め部材２９の外周部は前記溝より突出されている。回り止め部材２９は、可撓性を有するゴム系又はプラスチックス系の材料からなり、リング状の防水パッキンを好適に用いることができる。
【００２４】
保持筒部２６ｂにはリング状のロック部材３１が保持筒部２６ｂの軸方向に移動可能に取付けられている。ロック部材３１は金属又は合成樹脂製であって、内周壁３２及びこれよりも長い外周壁３３を有していて、これら両壁間に形成された環状溝３１ａは胴外面２１ａに向けて開放されている。このロック部材３１の内周壁３２の外周には雄ねじ部３４が形成されている。内周壁３２はその内周に規制凸部３２ａを一体に有している。この規制凸部３２ａは内周壁３２の胴外面２１ａに近い端部に形成されていて、周方向に一回り連続する円形をなしている。
【００２５】
ロック部材３１は、その雄ねじ部３４を前記雌ねじ部２８に螺合させることによって、保持筒部２６ｂに取付けられている。この取付けにより、内周壁３２と外周壁３３との間の環状溝３１ａに保持筒部２６ｂが配置され、相対的には外周壁３３が保持筒部２６ｂの外周に被嵌される。この被嵌は、回り止め部材２９を圧縮変形させながら行なわれるので、回り止め部材２９の外周面は外周壁３３の内周に摺動可能に密接されている。そのため、この密接に基づく摩擦力よりも大きな操作力でロック部材３１を回転させることによって、雄ねじ部３４と雌ねじ部２８との螺合位置（噛み合い位置）が変わり、胴外面２１ａに接離する方向、つまり、保持筒部２６ｂの軸方向にロック部材３１を移動させることができる。
【００２６】
このロック部材３１によって腕時計１１の携帯時に胴内への不用意な押込みを妨げられる押しボタン３５は、金属又は合成樹脂により作られていて、軸部３６と、操作ヘッド３７と、抜け止め部材３８とを有している。押しボタン３５が押込まれることにより、軸部３６の先端が前記接点１６を押圧移動させるようになっている。
【００２７】
軸方向と直交する方向の断面が円形の軸部３６は、パイプ２６の挿入筒部２６ａを貫通す部位である。この軸部３６には挿入筒部２６ａの内面との間の防水を図るリング状の防水パッキン３９が取付けられている。この防水パッキン３９は軸部３６に形成したパッキン取付け溝３６ａに嵌合されている。軸部３６の胴内に突出した先端部に抜け止め部材３８が設けられている。抜け止め部材３８は例えば止め輪からなり、挿入筒部２６ａの胴内側端面に係合することにより、押しボタン３５が胴外側に抜け出ないようになっている。
【００２８】
軸部３６と一体の操作ヘッド３７は、軸部３６より大径であるとともに、ロック部材３１の内周壁３２の規制凸部３２ａを除いた部位の内径より僅かに小径である。操作ヘッド３７は、押しボタン３５が軸方向に移動されることにより規制凸部３２ａに接離する規制部３７ａを有している。この規制部３７ａは連続した円形をなしている。
【００２９】
押しボタン３５は、軸部３６を胴外側からパイプ２６の挿入筒部２６ａに貫通させ、その状態で、胴内で抜け止め部材３８を軸部３６に取付けることにより、パイプ２６の軸方向に移動可能に取付けられる。この取付けによって、操作ヘッド３７は時計外装体１２の胴２１の外側に配置されるとともに、防水パッキン３９が圧縮変形されて挿入筒部２６ａの内周に摺動可能に密接される。
【００３０】
この押しボタン３５とパイプ２６との間、詳しくは、パイプ２６の段差部２６ｃと押しボタン３５の操作ヘッド３７との間には付勢部材４０が圧縮状態に挟設されている。付勢部材４０は押しボタン３５を胴外方向に付勢している。この付勢部材４０には、コイルばねを好適に用いることができるが、皿ばね、板ばねなどでもよく、或いはウレタンゴム等のゴム状弾性体を用いることもできる。
【００３１】
以上の構成を備えた腕時計１１において、携帯時など押しボタン３５が使用されない状態では、図２に示すようにロック部材３１が、押しボタン３５の押し込みを防止するロック位置に配置されている。このロック状態は、図１の状態からロック部材３１を例えば時計回りに回転させることにより得ることができる。
【００３２】
つまり、ロック部材３１が回り止め部材２９による回転抵抗に抗して指先で回転操作されることにより、その雄ねじ部３４とパイプ２６の雌ねじ部２８との螺合位置が変えられて、ロック部材３１が胴外面２１ａから離れる方向に移動される。この移動は、付勢部材４０の付勢力で既に抜け止め部材３８がパイプ２６に当たって位置決めされている押しボタン３５の操作ヘッド３７の規制部３７ａに、ロック部材３１の規制凸部３２ａが当接することにより停止される。このロック状態では、ロック部材３１から操作ヘッド３７が突出しないように、操作ヘッド３７の外周全体にロック部材３１が被さって、ロック部材３１の端面と操作ヘッド３７の端面の位置とが略同じとなるようにロック部材３１が配置される。
【００３３】
以上のロック状態では、操作ヘッド３７がロック部材３１に既述のように引っ掛かっている。このため、仮に、操作ヘッド３７が押されることがあっても、押しボタン３５が胴内方向に押し込まれることが防止されて、押しボタン３５の誤動作を抑制できる。
【００３４】
このロック状態においても、ロック部材３１の外周壁３３とパイプ２６の保持筒部２６ｂとの間には、回り止め部材２９が圧縮状態に挟設されていて、外周壁３３に対する回り止め部材２９の摩擦力に応じた回転抵抗がロック部材３１に与えられている。そのため、腕時計１１の携帯時などに振動や衝撃が加わっても、それにより、ロック部材３１が不用意に回転されて緩まないようにできる。言い換えれば、ロック部材３１が、ロック位置から胴外面２１ａ方向にずれ動かないように保持できる。したがって、ロック部材３１による押しボタン３５に対するロック機能が損なわれないようにできるので、携帯中などにおけるロック部材３１の緩みを原因とする押しボタン３５の誤動作を抑制できる。
【００３５】
図２に示すようにロック状態では、ロック部材３１は胴外面２１ａから離れていて、これらの間にはギャップＧが形成されるので、このギャップＧに水や砂塵などの異物が入り込むことがある。しかし、ロック部材３１に回転抵抗を与える回り止め部材２９が、リング状であって外周壁３３と保持筒部２６ｂとの間を仕切っているので、ギャップＧに入り込んだ異物が、雄ねじ部３４と雌ねじ部２８との螺合部に到達することを、回り止め部材２９によって抑制できる。
【００３６】
このように時計外装体１２の外に配置される雄ねじ部３４と雌ねじ部２８との螺合部が配置されているにも拘わらず、この螺合部に対する防水及び防塵ができる。それによって、ロック部材３１を回転させる操作が異常に重くなることを抑制できる。
【００３７】
更に、ロック状態では、ロック部材３１が有した円形状の規制凸部３２ａと操作ヘッド３７が有した円形の規制部３７ａとが当たっているので、この当接部により、ロック部材３１の内周壁３２と操作ヘッド３７との間に侵入する水や砂塵などの異物が、前記当接部を超えてパイプ２６の内側に侵入することを抑制できる。そして、仮に、異物が前記螺合部及び当接部を通過することがあっても、パイプ２６と押しボタン３５との間に挟設された防水パッキン３９により、胴内に侵入することを抑制できる。つまり、ロック状態では二重に防水及び防塵ができる。
【００３８】
押しボタン３５を操作する場合には、はじめにロック部材３１をロック待機位置に移動させた後に、押しボタン３５の操作ヘッド３７を胴２１に向けて押圧すればよい。
【００３９】
ロック待機位置へのロック部材３１の移動は、図２の状態からロック部材３１を、回り止め部材２９による回転抵抗に抗して指先で例えば反時計回りに回転させることにより得ることができる。それにより、雄ねじ部３４と雌ねじ部２８との螺合位置が変えられて、ロック部材３１が胴外面２１ａに近寄る方向に移動される。この移動は、ロック部材３１の外周壁３３が胴外面２１ａに当接するとともに、ロック部材３１の内周壁３２がパイプ２６の段差部２６ｃに当接することにより停止される。なお、この当接によるロック待機位置への位置規制は、胴外面２１ａへの外周壁３３の当接又はこれに代えて胴外面２１ａへの内周壁３２の当接で行なうこともできる。
【００４０】
こうしてロック部材３１がロック待機位置に配置されることによって、その規制凸部３２ａが操作ヘッド３７の規制部３７ａから離れて、相互間に図３に示すように押しボタンの移動を許すギャップＳが形成されるとともに、操作ヘッド３７がロック部材３１の中央部から突出された状態となる。
【００４１】
次に、図４に示すように付勢部材４０を圧縮させながら操作ヘッド３７を押圧することによって、ギャップＳをストロークとして押しボタン３５が押し込まれ、この押しボタン３５で胴２１内の接点１６を押すことができる。この後、押しボタン３５の押圧が解除されるに伴い、押しボタン３５は付勢部材４０の付勢力で押し戻されて、図３に示すように配置される。なお、以上の後に、ロック部材３１は既述のように時計回りに回転操作されて図２に示すロック位置に配置され、この状態で腕時計１１は携帯される。
【００４２】
図５〜図８は本発明の第２実施形態を示している。この実施形態は以下説明する事項を除いて第１実施形態と同じであるので、第１実施形態と同じ構成については同一符号を付して説明を省略する。第２実施形態は防水パッキン３９の配置が第１実施形態とは異なる。
【００４３】
具体的には、防水パッキン３９は、押しボタン３５とパイプ２６との間ではなく、押しボタン３５とロック部材３１との間をシールして設けられている。より詳しくは、押しボタン３５の操作ヘッド３７とロック部材３１の内周壁３２との間に、リング状の防水パッキン３９が圧縮状態で挟まれている。防水パッキン３９は、軸３６より太い操作ヘッド３７に設けた環状のパッキン取付け溝３７ｂに嵌合して取付けられているが、この逆に内周壁３２にパッキン取付け溝を設けて、そこに嵌合させて防水パッキン３９を設けることもでき、或いは内周壁３２と操作ヘッド３７の双方に防水パッキン３９を取付けることも可能である。
【００４４】
防水パッキン３９は、可撓性を有するゴム系又はプラスチックス系の材料からリング状に形成されていて、その直径よりリング状の回り止め部材２９の直径の方が大きい。これら防水パッキン３９と回り止め部材２９とは同じ材料で作ることが望ましい。したがって、それらの径差に応じて、防水パッキン３９がロック部材３１に与える摩擦力より、回り止め部材２９がロック部材３１に与える摩擦力の方が大きくなっている。更に、防水パッキン３９は、図６に示すようにロック位置に配置されたロック部材３１で押し込みができないように押しボタン３５が保持された状態でも、図７及び図８に示すようにロック部材３１がロック待機配置に配置されて押しボタン３５の押し込みが許された状態でも、回り止め部材２９の位置を境に胴外面２１ａとは反対側に位置されるように設けられている。以上説明した事項以外は第１実施形態と同じである。
【００４５】
したがって、第２実施形態では、第１実施形態と同様な作用を得て本発明の課題を解決できる。加えて、以下の点において第２実施形態は第１実施形態よりも優れている。
【００４６】
第１に、防水パッキン３９はそのロック部材３１に対する摩擦力に応じた回転抵抗をロック部材３１に与えることができる。このように防水パッキン３９の摩擦力がロック部材３１の回転抵抗として付加されるので、ロック位置等に配置されたロック部材３１の不用意な回転をより確実に抑制できる。
【００４７】
第２に、リング状の防水パッキン３９が押しボタン３５の操作ヘッド３７に与える摩擦力は、回り止め部材２９がロック部材３１に与える摩擦力より小さいので、押しボタン３５の移動操作が重くなることが抑制され、押しボタン３５を円滑に移動できる。そして、以上の摩擦力の差を、回り止め部材２９と防水パッキン３９との径の差によって得ているので、これら回り止め部材２９と防水パッキン３９を同一材料で形成できる点で好ましい。
【００４８】
第３に、胴内への防水と防塵と担う防水パッキン３９を、操作ヘッド３７とロック部材３１との間に配置したことにより、パイプ２６の挿入筒部２６ａに収まる押しボタン３５の軸部３６に防水パッキン３９を取付けるための環状のパッキン取付け溝を形成する必要がない。それに伴い、パッキン取付け溝を軸部３６に設けた場合のように軸部３６の一部が細くなって、この部分において軸部３６の強度が低下することがなくなる。加えて、操作ヘッド３７がこれを囲んでいるロック部材３１に防水パッキン３９を介して支持されているので、操作ヘッド３７とロック部材３１の内周壁３２との間のギャップを原因として押しボタン３５が傾くように動くことが抑制される。したがって、腕時計１１の落下時などに加えられる衝撃などで軸部３６が曲がって防水機能が低下しないようにできる点で好ましい。
【００４９】
第４に、回り止め部材２９と防水パッキン３９とがロック部材３１に与える摩擦力で、ロック部材３１の回転操作に適度の重さを生じさせて、快適な操作感を与えることができる。これとともに、回り止め部材２９と防水パッキン３９とが、パイプ２６及び押しボタン３５の軸方向にずれた位置で、径方向から螺合部を挟むように設けられているので、操作ヘッド３７とロック部材３１の内周壁３２との間のギャップを原因としてロック部材３１が傾くように動くことが抑制される。したがって、ロック部材３１のがたつきが抑制されて、その回転操作を円滑にできる。
【００５０】
本発明は前記各実施形態に制約されるものではなく、携帯時計の他にも、例えばストップウオッチ、携帯電話、携帯型情報端末機などの携帯機器に適用できる。
【００５１】
又、本発明は、内周壁３２と外周壁３３との間に環状溝３１ａが形成されたロック部材３１を備え、その環状溝３１ａにパイプ２６の保持筒部２６ｂを収めた構成を採用したことによって、前記実施形態に代えて、保持筒部２６ｂの外面に形成した雄ねじ部と外周壁３３に形成した雌ねじ部とで、保持筒部２６ｂとロック部材３１とを螺合することもできる。この場合、回り止め部材２９は保持筒部２６ｂと内周壁３２との間に挟んで実施すればよい。
【図面の簡単な説明】
【００５２】
【図１】本発明の第１実施形態の腕時計の一部を示す断面図。
【図２】図１の腕時計の押しボタンの取付け部を押しボタンがロックされた状態で示す断面図。
【図３】図１の腕時計の押しボタンの取付け部を押しボタンのロックが解除された状態で示す断面図。
【図４】図１の腕時計の押しボタンの取付け部を押しボタンが押し込まれた状態で示す断面図。
【図５】本発明の第２実施形態の腕時計の一部を示す断面図。
【図６】図５の腕時計の押しボタンの取付け部を押しボタンがロックされた状態で示す断面図。
【図７】図５の腕時計の押しボタンの取付け部を押しボタンのロックが解除された状態で示す断面図。
【図８】図５の腕時計の押しボタンの取付け部を押しボタンが押し込まれた状態で示す断面図。
【符号の説明】
【００５３】
１１…腕時計（携帯時計・携帯機器）
１２…時計外装体（機器外装体）
１６…接点
２１…胴
２１…胴外面
２５…貫通孔
２６…パイプ
２６ａ…挿入筒部
２６ｂ…保持筒部
２６ｃ…段差部
２８…雌ねじ部
２９…回り止め部材
３１…ロック部材
３２…内周壁
３２ａ…規制凸部
３３…外周壁
３４…雄ねじ部
３５…押しボタン
３６…軸部
３７…操作ヘッド
３７ａ…規制部
３８…抜け止め部材
３９…防水パッキン
４０…付勢部材
【図１】
0004811996.tif 000002
【図２】
0004811996.tif 000003
【図３】
0004811996.tif 000004
【図４】
0004811996.tif 000005
【図５】
0004811996.tif 000006
【図６】
0004811996.tif 000007
【図７】
0004811996.tif 000008
【図８】
0004811996.tif 000009